(57)【要約】      （修正有）【課題】マンモグラフィー撮影またはバイオプシー生検時に患者に圧迫感や苦痛を与えない状態でマンモグラフィー撮影またはバイオプシー生検を受けることのできるマンモ用バイオプシー生検用診察台を提供する。【解決手段】ベッド４の長手方向のいずれかにマンモグラフィー撮影用の機器等が設置できる落込部４ａを設け、該落込部４ａのベッド４下面に略垂直に設けられる取付杆を設け、またベッド基台３にベッド４に対して水平に取付杆８を設け、いずれかの取付杆に受診者の腕を支える支持板９または受診者の腰、背中または下半身を支えることのできる支持板６を選択的にかつ着脱自在に設けられるようにした。【選択図】図３
0003161989.tif 000002
【実用新案登録請求の範囲】
【請求項１】
マンモグラフィー撮影やバイオプシー生検を行なうための診察台において、該診察台におけるベッド４の長手方向の何れか一方に形成されマンモグラフィー撮影の機器を設置するための落込部４ａと、
該落込部における上面に略垂直方向に２つを一組とする２組が形成された取付杆５と、
前記落込部の下側に取付けられたベッド基台３と、
該ベッド基台に略水平方向に２つを一組とする２組が設けられた取付杆８と、  前記落込部に設けられた何れか一組の取付杆５に対して脱着自在に取付けられる支持板６を有する垂直用支持杆７と、
前記ベッド基台に設けられた何れか一組の取付杆８に対して脱着自在に取付けられる支持板９を有する水平用支持杆１０と、
より構成し、前記落込部４ａの前記取付杆５に前記垂直用支持杆７を取付けることで前記支持板６によって受診者の腰、背中または下半身を支え、また、前記ベッド基台３の取付杆８に前記水平用支持杆１０を取付けることで前記支持板９によって受診者の腕を支えるようにしたことを特徴とするマンモ用バイオブシー生検用診察台。
【請求項２】
前記垂直用支持杆７および水平用支持杆１０にはバネ１２および突起片１１ａを有する操作片１１が内蔵され、また、前記垂直用支持杆７および水平用支持杆１０には前記突起片１１ａと係合可能な係止部８ａを形成し、前記操作片を前記バネのバネ力に抗して操作することで前記係合が解除され抜き取り可能としたことを特徴とする請求項１記載のマンモ用バイオブシー生検用診察台。
【請求項３】
前記落込部の平面形状が台形状に形成されていることを特徴とする請求項１記載のマンモ用バイオブシー生検用診察台。
【考案の詳細な説明】
【技術分野】
【０００１】  本考案は、乳癌診断時におけるマンモグラフィー撮影またはバイオプシー生検に使用するマンモ用バイオプシー生検用診察台に関するものである。
【背景技術】
【０００２】  従来における乳癌診断時におけるマンモグラフィー撮影またはバイオプシー生検に使用する医療用診察台は、例えば、特許文献１に開示されているように、断層像撮影および生検のために使用する医療用診察台においては、被検体の乳房を保持するマンモ用バイオプシー装置があり、被検体が寝台上に横たわり、寝台天板からの高さを調節可能にかつ寝台天板と略平行に設けられた下部圧迫板と、下部圧迫板の上方に高さを調節可能にかつ寝台天板と略平行に設けられた上部圧迫板とにより、被検体の乳房を挟み込んで保持しながら、マンモグラフィー撮影やバイオプシー生検を行なうようにしている。【０００３】  また特許文献２に記載される医療用診察台においては、超音波診断用診察台があり、これによると、患者が横たわる上板の横幅を手軽に可変できる構造、リモコン操作により上板を短手方向中心を軸として回動する構造、長手方向略中心を軸としてその一方を起き上がらせる背上げ構造、昇降させる構造および落下防止板を取り付けた構造が開示されている。
【先行技術文献】
【特許文献】
【０００４】
【特許文献１】  特開平１０−１６５４０３号公報
【特許文献２】  特開平１０−２４８８４６号公報
【考案の概要】
【考案が解決しようとする課題】
【０００５】  ところで、特許文献１にあっては、被検体を載置する寝台天板と、該寝台天板からの高さを調節可能にかつ該寝台天板と略平行に設けられた第１の圧迫板と、第１の圧迫板の上方に高さを調節可能にかつ寝台天板に略平行に設けられた第２の圧迫板とからなり、被検体の乳房を第１及び第２の圧迫板により挟み込んで保持するようにしているが、この場合、マンモグラフィー撮影またはバイオプシー生検も共に、被検体の乳房を挟んで圧迫した状態で行なうため、被検体は圧迫と苦痛を強いられ、被検体が苦痛などで思わず動くことによってちゃんとした撮影や生検ができないという課題がある。【０００６】また特許文献２にあっては、超音波診断用診察台であるが、診察台の上板部の一部を落込部として下方へ落とし、さらに引抜部を設け、該引抜部を引き抜くことで、患者の胸部や腹部がくる部分の上板の短手方向の幅を狭くするというものである。【０００７】  これにより上板が邪魔になってプローブ２を巧く接触させることができなかった患者の胸部や腹部の脇や背の部分（仰向けに寝ている場合）を、大幅に露出させることができるようになる。なお、一方を落込部とし、他方を引抜部を設けている理由として、設置スペースの有効活用を図るために、その長手方向の一方を診察室の壁に沿わせて設置するためであり、壁側に引抜部を設けると、その操作が困難になり、また医師側になる他の一方も落込部とした場合には、落とし込んだ部分が医師の動きを邪魔することになるからである。と開示されている。
しかしながら、本参考文献２のものでは、マンモグラフィー撮影装置やバイオプシー生検針などが自由に使用できないという課題がある。【０００８】  以上のことから、このような診察台においては、患者の乳房の癌などの診察を行う際に、マンモグラフィー撮影またはバイオプシー生検時に、診察台に長時間寝た状態で、患者の乳房を挟んで圧迫した状態で行なうため患者は圧迫と苦痛を強いられ、医師などが撮影や生検がスムースに行なえない。【０００９】  また医師などが患者に近づいて撮影などをする診察台はあるものの、マンモグラフィー撮影やバイオプシー生検などの対応が行なえる診察台ではなく、本考案では、マンモグラフィー撮影またはバイオプシー生検時に患者に圧迫感や苦痛を与えないでマンモグラフィー撮影またはバイオプシー生検が行なえるマンモ用バイオプシー生検用診察台を提供せんとするものである。
【課題を解決するための手段】
【００１０】  本考案のマンモ用バイオプシー生検用診察台は、前記した目的を達成せんとするもので、請求項１の手段は、マンモグラフィー撮影やバイオプシー生検を行なうための診察台において、該診察台におけるベッド４の長手方向の何れか一方に形成されマンモグラフィー撮影の機器を設置するための落込部４ａと、該落込部における上面に略垂直方向に２つを一組とする２組が形成された取付杆５と、前記落込部の下側に取付けられたベッド基台３と、該ベッド基台に略水平方向に２つを一組とする２組が設けられた取付杆８と、前記落込部に設けられた何れか一組の取付杆５に対して脱着自在に取付けられる支持板６を有する垂直用支持杆７と、前記ベッド基台に設けられた何れか一組の取付杆８に対して脱着自在に取付けられる支持板９を有する水平用支持杆１０と、より構成し、前記落込部４ａの前記取付杆５に前記垂直用支持杆７を取付けることで前記支持板６によって受診者の腰、背中または下半身を支え、また、前記ベッド基台３の取付杆８に前記水平用支持杆１０を取付けることで前記支持板９によって受診者の腕を支えるようにしたことを特徴とする。【００１１】  請求項２の手段として、前記した請求項１において、前記垂直用支持杆７および水平用支持杆１０にはバネ１２および突起片１１ａを有する操作片１１が内蔵され、また、前記垂直用支持杆７および水平用支持杆１０には前記突起片１１ａと係合可能な係止部８ａを形成し、前記操作片を前記バネのバネ力に抗して操作することで前記係合が解除され抜き取り可能としたことを特徴とする。【００１２】  請求項３の手段として、前記した請求項１において、前記落込部の平面形状が台形状に形成されていることを特徴とする。
【考案の効果】
【００１３】  本考案のマンモ用バイオプシー生検用診察台は、診察台のベッドの一部に撮影装置が入るように落とし込み部分を設けることで、マンモグラフィー撮影装置などを該落込部に設置できるため、受診者は、移動することなく、また無理な体位をとることなく、さらには通常の側臥位で安楽に診療を受けることができる。
また該支持板を適宜位置を変更させることができるため、受診者は頭側足側の寝る方向を変えることで、左右の乳房の診療が可能となっている。
落込部の開口部の平面形状を台形形状にすることで、肩／腕の圧迫を避け受診者の負担を減らすことができる。【００１４】  また側臥位で落込部のベッド側面に腕を受ける上肢台として使用する支持板を設置することによって、受診者に無理な体勢を強いることなく、受診者の負担を減らすことができる。
さらには上部ベッドと落込部との間に支持板を差し替えて取り付けることによって、生検時の撮影空間を確保するフェンスとしてまた上肢台として適宜使用が可能であり、受診者は側臥位の楽な姿勢で診療を受けることができる。【００１５】  本考案によれば、マンモグラフィー撮影で癌細胞が見つかって、バイオプシー生検に移る際に、テーブル等を交換することもなく、同じ位置で診断また生検を行なうことができる。
また下方向からの診断を容易にするように落込部を必要とする心臓エコー検査用のテーブルとしても使用が可能である。
【図面の簡単な説明】
【００１６】
【図１】  本考案に関わる診察台の斜視図である。
【図２】  診察時の状態を示す平面図である。
【図３】  本考案に関わる側面図である。
【図４】  支持板を係止した状態の断面図である。
【図５】  支持板を取り付け、取り外しをする際の断面図である。
【考案を実施するための形態】
【００１７】  以下、本考案に係るマンモ用バイオプシー生検用診察台の実施例を図面とともに説明する。
図１は本考案に関わる診察台の斜視図、図２は診察時の状態を示す平面図、図３は本考案に関わる側面図、図４は支持板を係止した状態の断面図、図５は支持板を取り付け、取り外しをする際の断面図である。
【００１８】  本考案の実施例について説明すると、Ａは患者、Ｂはマンモグラフィー撮影装置、Ｃはバイオプシー生検用針である。
１は診察台の基台、２は昇降装置が組み込まれる昇降基台、３はベッド基台であり、４はベッド、４ａは前記ベッド４の落込部、４ｂはベッド４の長手方向に設けられる落込部４ａの壁部、４ｃは前記壁部４ｂに接するベッド４の短め方向に設けられる壁部である。
【００１９】  ５はベッド４の落込部４ａのベッド４側に略垂直方向に設けられる取付杆であり、６は表面がクッションとなっている支持板、７は前記支持板６が取り付けられるＵ字形を成す支持杆である。
取付杆５は２つの孔を一対として構成され、前記落込部４ａの長手方向の左右にそれぞれ一対ずつ、合計２対設けられている。
８はベッド基台３の横方向に設けられる取付杆、８ａは後述する突起片１１ａが係止する係止部である。
【００２０】  ９は表面がクッションとなっている支持板、１０は前記支持板９が取り付けられるＵ字形を成す水平用支持杆であり、１０ａは後述する操作片揺動部１１ｃが係止される係止溝部である。
取付杆８は、前記した取付杆５と同じように２つの孔を一対として構成され、前記ベッド基台３の横方向の左右にそれぞれ一対ずつ、合計２対設けられている。
【００２１】  １１は前記垂直用支持杆７および水平用支持杆１０を取り付ける際に操作する操作片であり、水平用支持杆１０に内蔵されている。
１１ａは突起片であり、取付杆８に設けられる係止溝８ａに係止されている。
１１ｂは後述するバネ１２が当接するバネ当接部、１１ｃは操作片揺動部であり水平用支持杆１０に設けられる係止溝部１０ａに係合されている。
【００２２】  １１ｄは突端上面部が傾斜する係止片であり前記取付杆８に係止されており、１１ｅは水平用支持杆１０に係止される係止片であり、操作片１１の操作は係止片１１ｅが水平用支持杆１０に係止されることにより制止されるようになっている。１２は操作片１１を外側に付勢するバネである。
以上のように、操作片１１は、水平用支持杆１０に対してバネ１２と突起片１１ａが水平用支持杆１０に係止され、水平用支持杆１０に設けられる係止溝１０ａに操作片１１の操作片揺動部１１ｃが係合することにより、水平用支持杆１０に保持されている。
【００２３】  これにより、支持板６および支持板９を取り付けまた取り外しを行なう際の動作については、水平用支持杆１０に取り付けられる支持板９の取り付けについて図４および図５で説明すると、支持板９が取り付けられる水平用支持杆１０を取付杆８に挿入して取り付けを行なうが、取り付ける際には、付勢されるバネ１２に対して操作片１１を水平用支持杆１０の中心軸側に押すとバネ１２は圧縮した状態となる。
【００２４】  その際に、操作片１１が動作することにより、取付杆８に設けられる係止溝８ａに係止されている操作片１１の突起片１１ａが外れ、該操作片１１が時計と逆の方向に回転すると、上面部が傾斜している操作片１１に設けられる係止片１１ｄが取付杆８の内面に略平行に隙間を空けることとなり、前記水平用支持杆１０を前記取付杆８に挿入することができる。
【００２５】  また操作片１１を放すと、バネ１２により操作片１１は中心軸とは逆の方向に付勢されて、操作片１１の突起片１１ａが取付杆８に設けられる係止溝８ａに系止されると同時に操作片１１の突端部に設けられる係止片１１ｄの上面部が傾斜して前記水平用支持杆１０の内面に係止されて水平用支持杆１０は固定される。その際、操作片１１は水平用支持杆１０に係止片１１ｅが係止して止まる。
【００２６】  次に水平用支持杆１０の取り外しを行なう場合は、取り付ける場合と同様に操作片１１を水平用支持杆１０の中心軸側に押すと、取付杆８の内面に設けられる係止溝８ａに係止されている操作片１１の突起片１１ａが外れると同時に操作片１１の突端部に設けられる係止片１１ｄの上面部が水平用支持杆１０の内面と隙間を空けて略平行になり、水平用支持杆１０は取付杆８に対して摺動自在な状態となり、この状態で水平用支持杆１０を摺動させて水平用支持杆１０を取り外すことができるようになっている。
【００２７】  なお、前記実施例については水平用支持杆１０に設けられる支持板９の取り付け、取り外しを説明したが、支持板６が設けられる垂直用支持杆７の取り付け、取り外しについても同じ構造としているため説明を省略する。
以上の構成から、マンモグラフィー撮影時およびバイオプシー生検時の診察台の使用状態を図２により説明をすると、患者Ａはベッド４上に乳房を前記ベッド４の落込部４ａ側に浮かし横たわった状態で寝る。
【００２８】  次に、前記マンモグラフィー撮影装置Ｂを該ベッド４の落込部４ａに位置させて、乳房の撮影部位に当てて撮影を行なう。その際患者は下半身側に前記垂直用支持杆７をベッド４の落込部４ａのベッド４側に設けられる取付杆５に取り付けることによってベッドフェンスとすることができる。
【００２９】  また前記ベッド基台３に設けられる取付杆８に水平用支持杆１０を設けることによって、患者Ａは腕を該水平用支持杆１０に取り付けられる支持板９を上肢台として使用でき患者は安楽な状態で撮影を受けることができるようになる。
また乳房の細胞を抽出するためのバイオプシー生検を行なう場合も、同様にバイオプシー生検針を患者の乳房に向けて抽出するようにしているが、その際も患者の安楽な状態を維持しながら生検を受けるようにすることができる。
【００３０】  また他方の乳房のマンモグラフィー撮影およびバイオプシー生検を行なう場合は、ベッドフェンスや上肢台として使用できる支持板６または９を別の位置に設けられる取付杆５および８に取り付けることにより、ベッドフェンスや上肢台の機能部位を適宜変更することができ、患者は安楽な状態で撮影や生検を受けることができる。
【符号の説明】
【００３１】Ａ          患者
Ｂ          マンモグラフィー撮影装置
Ｃ          バイオプシー生検用針
１          基台
２          昇降基台
３          ベッド基台
４          ベッド
４ａ        落込部
４ｂ、４ｃ  壁部
５          取付杆
６          支持板
７          垂直用支持杆
８          取付杆
８ａ        係止部
９          支持板
１０        水平用支持杆
１０ａ      係止溝部
１１        操作片
１１ａ      突起片
１１ｂ      バネ当接部
１１ｃ      操作片揺動部
１１ｄ      係止片
１１ｅ      係止片
１２        バネ
【図１】
0003161989.tif 000003
【図２】
0003161989.tif 000004
【図３】
0003161989.tif 000005
【図４】
0003161989.tif 000006
【図５】
0003161989.tif 000007
【手続補正書】
【提出日】平成22年5月27日(2010.5.27)
【手続補正１】
【補正対象書類名】実用新案登録請求の範囲
【補正対象項目名】全文
【補正方法】変更
【補正の内容】
【実用新案登録請求の範囲】
【請求項１】
マンモグラフィー撮影やバイオプシー生検を行なうための診察台において、該診察台におけるベッド４の長手方向の何れか一方に形成されマンモグラフィー撮影の機器を設置するための落込部４ａと、
該落込部における上面に略垂直方向に２つを一組とする２組が形成された取付杆５と、
前記落込部の下側に取付けられたベッド基台３と、
該ベッド基台に略水平方向に２つを一組とする２組が設けられた取付杆８と、前記落込部に設けられた何れか一組の取付杆５に対して脱着自在に取付けられる支持板６を有する垂直用支持杵７と、
前記ベッド基台に設けられた何れか一組の取付杆８に対して脱着自在に取付けられる支持板９を有する水平用支持杆１０と、
より構成し、前記落込部４ａの前記取付杆５に前記垂直用支持杆７を取付けることで前記支持板６によって受診者の腰、背中または下半身を支え、また、前記ベッド基台３の取付杵８に前記水平用支持杆１０を取付けることで前記支持板９によって受診者の腕を支えるようにしたことを特徴とするマンモ用バイオプシー生検用診察台。
【請求項２】
前記垂直用支持杆７および水平用支持杆１０にはバネ１２および突起片１１ａを有する操作片１１が内蔵され、また、前記垂直用支持杆７および水平用支持杆１０には前記突起片１１ａと係合可能な係止部８ａを形成し、前記操作片を前記バネのバネ力に抗して操作することで前記係合が解除され抜き取り可能としたことを特徴とする請求項１記載のマンモ用バイオプシー生検用診察台。
【請求項３】
前記落込部の平面形状が台形状に形成されていることを特徴とする請求項１記載のマンモ用バイオプシー生検用診察台。